(57)【要約】【課題】本発明は、移市街地や道路に降り積もった雪を大量にかつ効果的に融雪処理ができる動可能な融雪機を提供する。【解決手段】本発明の移動可能な融雪機は、旋回可能な後輪１及び固定された前輪２を備えた牽引可能な走行台車３と、該走行台車３に載せられた、雪塊を供給積載する雪塊供給部４と、該雪塊供給部４からの雪塊を融かす融雪部５及び各部に電気及び燃料を供給する電源供給部６とから構成される。牽引車で雪塊現場に適宜移動させることができ、市街地や道路の隅に山積みとなった雪塊をその場で融雪でき、しかも融雪室１１をボイラー室１４及び灯油バーナー１５の熱風、温水シャワー１６の温水、温水噴射ノズル１７の噴射温水及び金網スノコ１２の加熱により、大量の雪の融雪処理を効率的に行うことができる。【選択図】図１
2016180264.tif 000002
【特許請求の範囲】
【請求項１】
旋回可能な後輪及び固定された前輪を備えた牽引可能な走行台車と、該走行台車に載せられた、雪塊を供給積載する雪塊供給部と、該雪塊供給部からの雪塊を融かす融雪部と、各部に電気及び燃料を供給する電源供給部とから構成されることを特徴とする移動可能な融雪機。
【請求項２】
前記雪塊供給部は、牽引可能な走行台車の前部に載せられ、前記走行台車の前部上方に配置された雪掻き込みポッパーと、該雪掻き込みポッパーの内部出口に回転可能に軸支された羽根車と、該羽根車の下流側に配置された雪叩き羽根を備えた雪破砕ドラムとからなることを特徴とする請求項１記載の移動可能な融雪機。
【請求項３】
前記融雪部は、前記走行台車の中央部に載せられ、前記雪破砕ドラムの下流側に形成された融雪室と、該融雪室の下部に金網スノコを架け渡して設けた融雪水槽と、前記融雪室の一側部に設けた燃焼加熱及び排気熱を供給するボイラー室と、前記融雪室の他側部に設けた前記金網スノコに熱を伝熱する灯油バーナーと、前記融雪室の天井付近に配置された温水シャワーと、前記融雪室の雪破砕ドラム側の下部で前記金網スノコの上方に配置された温水噴射ノズルとからなることを特徴とする請求項１記載の移動可能な融雪機。
【請求項４】
前記電源供給部は、前記走行台車の後部に載せられ、前記融雪水槽の融雪水を循環加熱して前記温水シャワーに高圧温水を供給する洗浄機と、各部に電気を供給する発電機と、各部を制御する制御盤と、前記ボイラー室に燃料を供給する廃油タンクとから構成されることを特徴とする請求項１記載の移動可能な融雪機。
【発明の詳細な説明】
【技術分野】
【０００１】
本発明は、市街地や道路に降り積もった雪を大量にかつ効果的に融雪処理ができる移動可能な融雪機に関する。
【背景技術】
【０００２】
従来、市街地や道路に降り積もった雪をそのまま放置しておくと交通機能がマヒしてしまうため、大型のロータリー除雪車で除雪した雪を大型のダンプカーに積んで郊外に流れる河川や海に投棄していた。
また、広い駐車場の場合には、隅に山積みにした雪を大型のダンプカーに積んで郊外に流れる河川や海に投棄している。
【０００３】
そこで、市街地や道路の隅に山積みとなった雪をその場で融雪するため、融雪現場に適宜移動させることができ、しかも大量の雪の融雪処理を効率的に行うことができる融雪車が知られている（特許文献１を参照）。
【０００４】
この公知技術は、走行台車部に融雪槽部を架装してなる融雪車であって、融雪槽部の上部を開口して投雪口とし、融雪槽部内に熱噴射機を具備した燃焼室と、この燃焼室から発生する熱気を案内するようにガス導通管及び温風吹出管と、融雪槽内を撹拌するように回転羽機構と、排水処理部とを配設してなる融雪車である。
燃焼室内で発生した熱気は、熱噴射機のよる送風及びトンネル効果により融雪槽部内に配設されたガス導通管内を移動して融雪槽部内の融雪水を加温し、最終的に温風吹出管まで移動して温風吹出孔から噴出して融雪槽部上部の雪を融雪する。
【０００５】
また、融雪箱に投入された雪を融雪水流下板の加熱により融かし、融雪室内の雪に温水ボイラの排気を排出すると共に加熱水室の高温水も注入するだけでなく、ポンプを用いて融雪水を上部に散布する融雪機が知られている（特許文献２を参照）。
【０００６】
この公知技術は、上面を開口した融雪箱の内部を融雪水流下板で上下に仕切り、上方を融雪室に、下方を温水ボイラにし、該温水ボイラの両側に断熱室を設けた加熱室に形成し、前記温水ボイラは、その加熱水室に連通して融雪水流下板の上面に突設する温水噴出突起を固設し、前記融雪室内には後面に排気口を設けた煙突を融雪水流下板の前部上面に加熱室と連通するように立設する。
【０００７】
融雪室に投入された雪に対し、加熱室が融雪水流下板を加熱して底部からこれを融かし、ポンプが温水ボイラで高温になった融雪水に圧力を与え、温水噴出突起から雪中に注入して融かし、同時に融雪水タンクからの融雪水を同じくポンプで圧力を与えて噴射パイプの噴射ノズルから雪の上部に散布してこれを融かし、さらに温水ボイラの排気を煙突が融雪室に放出し、その排気熱で雪を融かす。
【先行技術文献】
【特許文献】
【０００８】
【特許文献１】特開平７−１１６１２号公報
【特許文献２】特許第２５５２８８１号公報
【発明の概要】
【発明が解決しようとする課題】
【０００９】
本発明は、市街地や道路に降り積もった雪を、融雪室をボイラー室及び灯油バーナーの熱風、温水シャワーの温水、温水噴射ノズルの噴射温水及び金網スノコの加熱により、大量にかつ効果的に融雪処理ができる移動可能な融雪機を提供することを目的とする。
【課題を解決するための手段】
【００１０】
本発明の移動可能な融雪機は、旋回可能な後輪及び固定された前輪を備えた牽引可能な走行台車と、該走行台車に載せられた、雪塊を供給積載する雪塊供給部と、該雪塊供給部からの雪塊を融かす融雪部と、各部に電気及び燃料を供給する電源供給部とから構成される。
【００１１】
前記雪塊供給部は、牽引可能な走行台車の前部に載せられ、前記走行台車の前部上方に配置された雪掻き込みポッパーと、該雪掻き込みポッパーの内部出口に回転可能に軸支された羽根車と、該羽根車の下流側に配置された雪叩き羽根を備えた雪破砕ドラムとからなる。
【００１２】
前記融雪部は、前記走行台車の中央部に載せられ、前記雪破砕ドラムの下流側に形成された融雪室と、該融雪室の下部に金網スノコを架け渡して設けた融雪水槽と、前記融雪室の一側部に設けた燃焼加熱及び排気熱を供給するボイラー室と、前記融雪室の他側部に設けた前記金網スノコに熱を伝熱する灯油バーナーと、前記融雪室の天井付近に配置された温水シャワーと、前記融雪室の雪破砕ドラム側の下部で前記金網スノコの上方に配置された温水噴射ノズルとからなる。
【００１３】
前記電源供給部は、前記走行台車の後部に載せられ、前記融雪水槽の融雪水を循環加熱して前記温水シャワーに高圧温水を供給する洗浄機と、各部に電気を供給する発電機と、各部を制御する制御盤と、前記ボイラー室に燃料を供給する廃油タンクとから構成される。
【発明の効果】
【００１４】
本発明の移動可能な融雪機は、雪塊現場に適宜移動させることができ、市街地や道路の隅に山積みとなった雪塊をその場で融雪でき、しかも融雪室を、ボイラー室及び灯油バーナーの熱風、温水シャワーの温水、温水噴射ノズルの噴射温水及び金網スノコの加熱により、大量の雪の融雪処理を効率的に行うことができる効果がある。
【図面の簡単な説明】
【００１５】
【図１】本発明の移動可能な融雪機の左側面図である。
【図２】本発明の移動可能な融雪機の前面カバーを外した状態の正面図である。
【図３】本発明の移動可能な融雪機の背面図である。
【図４】本発明の移動可能な融雪機の右側面図である。
【図５】融雪部の要部断面図である。
【図６】雪破砕ドラムの（ａ）一部拡大正面図、（ｂ）一部拡大断面図、（ｃ）全体正面図である。
【図７】駆動系の説明図である。
【発明を実施するための形態】
【００１６】
本発明の移動可能な融雪機の一実施例を添付図面に基づいて、以下に説明する。
図１の左側面図に示すように、本発明の移動可能な融雪機は、旋回可能な後輪１及び固定された前輪２を備えた牽引可能な走行台車３と、該走行台車３に載せられた、雪塊を供給積載する雪塊供給部４と、該雪塊供給部４からの雪塊を融かす融雪部５と、各部に電気及び燃料を供給する電源供給部６とから構成される。
【００１７】
前記雪塊供給部４は、牽引可能な走行台車３の前部に載せられ、図２の正面図に示すように、前記走行台車３の前部上方に配置された雪掻き込みポッパー７と、該雪掻き込みポッパー７の内部出口に回転可能に軸支された羽根車８と、該羽根車８の下流側に配置された雪叩き羽根９を備えた雪破砕ドラム１０とからなる。
【００１８】
前記融雪部５は、前記走行台車３の中央部に載せられ、図５の要部断面図に示すように、前記雪破砕ドラム１０の下流側に形成された融雪室１１と、該融雪室１１の下部に金網スノコ１２を架け渡して設けた融雪水槽１３と、前記融雪室１１の一側部に設けた燃焼加熱及び排気熱を供給するボイラー室１４と、前記融雪室１１の他側部に設けた前記金網スノコ１２に熱を伝熱する灯油バーナー１５と、前記融雪室１１の天井付近に配置された温水シャワー１６と、前記融雪室１１の雪破砕ドラム１０側の下部で前記金網スノコ１２の上方に配置された温水噴射ノズル１７とからなる。
【００１９】
前記電源供給部６は、前記走行台車３の後部に載せられ、図４の右側面図に示すように、前記融雪水槽１３の融雪水を循環加熱して前記温水シャワー１６に高圧温水を供給する洗浄機１８と、図３の背面図に示すように、各部に電気を供給する発電機１９と、各部を制御する制御盤２０と、前記ボイラー室１４に燃料を供給する廃油タンク２１とから構成される。
【００２０】
前記雪掻き込みポッパー７は、図２に示すように、市街地や道路の隅に山積みとなった雪塊を掬い取るバケットローダーと同一幅を有し、前記雪掻き込みポッパー７下部に枢支した上下傾動用シリンダー２２のロッド２３により上下に揺動できるようになっている。なお、バケットローダーから雪塊を受け取る時にはほぼ水平とし、羽根車８側へ送る時には雪掻き込みポッパー７を傾斜するようにする。
【００２１】
前記羽根車８は、前記雪掻き込みポッパー７の幅方向に円盤状ドラム２４を４枚を回転自在に軸支し、該円盤状ドラム２４には掻き込み板２５を軸方向に複数列配置し、前記雪掻き込みポッパー７に積載された雪塊を前記掻き込み板２５で掻き取り、下流側の雪叩き羽根９へ供給する。
【００２２】
前記雪叩き羽根９は、図６の（ａ）一部拡大正面図に示すように、先端が開いた形の２枚の細長板で、（ｂ）一部拡大断面図に示すように、円筒状の雪破砕ドラム１０の円周面に位相角度９０°で４カ所に設け、（ｃ）全体正面図に示すように、前記雪破砕ドラム１０の全体では相対一対で計１５列に配置する。前記雪叩き羽根９は、前記羽根車８により間欠的に送られてきた雪塊を粉砕して融雪室１１へ供給する。
【００２３】
前記雪破砕ドラム１０は、図７の説明図に示すように、前記雪掻き込みポッパー７の下部に配置したエンジン２６の駆動軸２７に架け渡された駆動ベルト２８を介してドラム軸２９が回転される。なお、前記エンジン２６の駆動軸２７には駆動ベルト２８を介して羽根車軸３０も回転される。
【００２４】
前記融雪室１１は、融雪室１１内部の熱気が逃げないように外壁を断熱材で覆い、図４に示すように、車体右側にボイラー室１４を配置し、廃油タンク２１からの廃油に焚口３１から火をつけて燃焼させ、燃焼ガスは排熱口３２から前記融雪室１１内に排出させる。また、図１に示すように、車体左側に灯油バーナー１５を配置し、灯油バーナー１５の火炎を前記融雪室１１底部の金網スノコ１２に接触するように加熱し、前記金網スノコ１２の加熱により雪塊を融かす。
【００２５】
前記金網スノコ１２は、熱伝導性の良い金属材料からなり、又は金網ではなく円孔が開いたパンチングメタルでもよい。前記金網スノコ１２の加熱により融けた融雪水は、前記金網スノコ１２下部の融雪水槽１３へ溜められる。
【００２６】
前記融雪水槽１３は、前記融雪室１１下部から洗浄機１８下部に亘って配置され、前記融雪水槽１３の融雪水は洗浄機１８により温水シャワー１６の融雪温水として循環利用される。
【００２７】
前記ボイラー室１４は、前記融雪水槽１３からの融雪水を直接導水管３３を介して前記ボイラー室１４内を循環させて加温し、加温した融雪水を温水噴射ノズル１７から融雪温水として前記融雪室１１に噴射させる。
【００２８】
前記灯油バーナー１５は、水平に配置され、前記灯油バーナー１５の火炎が金網スノコ１２に接触し、前記金網スノコ１２を加熱し、前記金網スノコ１２の加熱により雪塊を融かす。
【００２９】
前記温水シャワー１６は、前記融雪室１１の天井付近に円筒パイプ管を車体幅方向に１列又は複数列に配置し、円筒パイプ管の細孔から融雪温水を雪塊の上にシャワーのように下方に噴射する。
【００３０】
前記温水噴射ノズル１７は、車体幅方向に１列に配置した円筒パイプ管の細穴から前記ボイラー室１４内を循環させた融雪温水を前記融雪室１１に噴水させる。
【００３１】
前記洗浄機１８は、前記融雪水槽１３の融雪水を循環利用し、加熱加圧して前記温水シャワー１６に融雪温水を供給する。
なお、３７は油圧タンク、３８は油圧ポンプ、３９は軽油タンク、４０は後軸固定ダンパー、４１はオーバーフロー管である。
【００３２】
次に、本発明の移動可能な融雪機の操作動作を添付図面に基づいて、以下に説明する。
牽引車により走行台車１の後輪５側に備えたフック３４に引っ掛けて、本発明の移動可能な融雪機を市街地や道路の隅に山積みとなった雪塊場所まで搬送する。その後、雪塊場所で前輪６側のプラウ３５により雪を寄せ集めてもよい。
雪塊場所では、バケットローダーにより山積みとなった雪塊を掬い取り、雪掻き込みポッパー７へ雪塊を積載し、適宜に雪掻き込みポッパー７を傾斜させ、羽根車８側へ雪塊を送る。
【００３３】
前記羽根車８の回転により前記雪掻き込みポッパー７に積載された雪塊を前記掻き込み板２５で掻き取り、下流側の雪破砕ドラム１０へ供給する。大量に雪塊が融雪室１１に送られないように、前記羽根車８により間欠的に送られてきた雪塊を前記雪叩き羽根９は粉砕して融雪室１１へ供給する。
【００３４】
粉砕された雪塊は、前記融雪室１１底部の金網スノコ１２に接触し、前記金網スノコ１２の加熱及び灯油バーナー１５の熱風により雪塊を融かす。さらに、天井から温水シャワー１６により融雪温水を雪塊の上にシャワーのように下方に噴射して雪塊を融解する。さらに、ボイラー室１４内を循環させた融雪温水が温水噴射ノズル１７から前記融雪室１１に下から噴水して雪塊を融解させる。
一方、ボイラー室１４からの燃焼ガスは排熱口３２から前記融雪室１１内に排出され、熱気により雪塊が融け、余分な熱気は融雪室１１上部の排気通路３６から外気へ排出される。
【００３５】
融解して前記融雪水槽１３に溜まった融雪水は、洗浄機１８により加熱加圧して温水シャワー１６の融雪温水として循環利用される。
また、前記融雪水槽１３に溜まった融雪水は、直接導水管３３を介して前記ボイラー室１４内を循環させて融雪温水にして温水噴射ノズル１７から前記融雪室１１に下から噴水させる。
このようにして、雪塊は融けて融雪水となり、融雪水槽１３に溜まり、余分な融雪水はオーバーフロー管４１を介して流雪溝や側溝に排出される。
【符号の説明】
【００３６】
１  後輪
２  前輪
３  走行台車
４  雪塊供給部
５  融雪部
６  電源供給部
７  雪掻き込みポッパー
８  羽根車
９  雪叩き羽根
１０  雪破砕ドラム
１１  燃焼室
１２  金網スノコ
１３  融雪水槽
１４  ボイラー室
１５  灯油バーナー
１６  温水シャワー
１７  温水噴射ノズル
１８  洗浄機
１９  発電機
２０  制御盤
２１  廃油タンク
２２  上下傾動用シリンダー
２３  ロッド
２４  円筒状ドラム
２５  掻き込み板
２６  エンジン
２７  駆動軸
２８  駆動ベルト
２９  ドラム軸
３０  羽根車軸
３１  焚口
３２  排熱口
３３  導水管
３４  フック
３５  プラウ
３６  排気通路
【図１】
2016180264.tif 000003
【図２】
2016180264.tif 000004
【図３】
2016180264.tif 000005
【図４】
2016180264.tif 000006
【図５】
2016180264.tif 000007
【図６】
2016180264.tif 000008
【図７】
2016180264.tif 000009